(57)【要約】【課題】適切な持ち方で持つことを促す歯ブラシを提供する。【解決手段】歯ブラシ１０の把持部１００は、細長い三角柱形状から、角の部分を曲面に変形させた構造を有する。この把持部１００は、３つの略平面（１００ａ、１００ｂ及び１００ｃ）を有し、これらの各略平面１００ａ、１００ｂ及び１００ｃには、７つの窪み１０２が長軸方向に配列されている。略三角柱形状により、三本指（親指、人差し指、中指）での保持を促し、さらに、把持部表面に、窪みにより、三本指の指先を窪み１０２に当てた状態での保持を促す。【選択図】図１
2012152497.tif 000002
【特許請求の範囲】
【請求項１】
略三角形の断面形状を有する把持部と、
前記把持部の表面に設けられた複数の窪みと
を有する歯ブラシ。
【発明の詳細な説明】
【技術分野】
【０００１】
本発明は、歯ブラシに関する。
【背景技術】
【０００２】
虫歯（う蝕）や歯周病といった歯科疾患の原因は、歯間に残された食物残渣や歯の表面に付着した歯垢であると言われている。食物残渣や歯垢を除去するために、歯ブラシ、デンタルフロス、洗口剤等を利用したプラーク（歯垢）コントロールが有効であり、特に歯ブラシを用いたブラッシングが一般的に行われている。
歯ブラシを用いたブラッシングにおいては、歯ブラシの持ち方が重要な要素となる。すなわち、適切な方法で歯ブラシを持つことで初めて適切なブラッシングが可能になる。
【０００３】
なお、特許文献１には、ハンドル部の腹の部分の中央に、ハンドル部と平行な窪みを設けた歯ブラシが開示されている。
【先行技術文献】
【特許文献】
【０００４】
【特許文献１】特開２００９−２４０７４６号公報
【発明の概要】
【発明が解決しようとする課題】
【０００５】
そこで本発明は、このような課題に鑑み、適切な持ち方で持つことを促す歯ブラシを提供することを目的とする。
【課題を解決するための手段】
【０００６】
上記課題を解決するために、本発明の歯ブラシは、略三角形の断面形状を有する把持部と、前記把持部の表面に設けられた複数の窪みとを有する。
【発明の効果】
【０００７】
本発明は、適切な歯ブラシの持ち方を促すことができる。
【図面の簡単な説明】
【０００８】
【図１】第１の実施形態にかかる歯ブラシ１０の正面図である。
【図２】第１の実施形態にかかる歯ブラシ１０の背面図である。
【図３】第１の実施形態にかかる歯ブラシ１０の左側面図である。
【図４】第１の実施形態にかかる歯ブラシ１０の右側面図である。
【図５】第１の実施形態にかかる歯ブラシ１０の平面図である。
【図６】第１の実施形態にかかる歯ブラシ１０の底面図である。
【図７】第２の実施形態にかかる歯ブラシ２０の正面図である。
【図８】第２の実施形態にかかる歯ブラシ２０の背面図である。
【図９】第２の実施形態にかかる歯ブラシ２０の左側面図である。
【図１０】第２の実施形態にかかる歯ブラシ２０の右側面図である。
【図１１】第２の実施形態にかかる歯ブラシ２０の平面図である。
【図１２】第２の実施形態にかかる歯ブラシ２０の底面図である。
【図１３】第３の実施形態にかかる歯ブラシ３０の六面図である。
【図１４】第４の実施形態にかかる歯ブラシ４０の正面図である。
【発明を実施するための形態】
【０００９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１０】
（第１の実施形態）
図１は、第１の実施形態にかかる歯ブラシ１０の正面図であり、図２は、第１の実施形態にかかる歯ブラシ１０の背面図であり、図３は、第１の実施形態にかかる歯ブラシ１０の左側面図であり、図４は、第１の実施形態にかかる歯ブラシ１０の右側面図であり、図５は、第１の実施形態にかかる歯ブラシ１０の平面図であり、図６は、第１の実施形態にかかる歯ブラシ１０の底面図である。
図１〜図６に示すように、本実施形態の歯ブラシ１０は、把持部１００と、ブラシが植毛されるヘッド部１２０と、把持部１００及びヘッド部１２０を連結する連結部１１０とを含んで構成される。
【００１１】
把持部１００、連結部１１０及びヘッド部は、アクリロニトリル−スチレン共重合体（ＡＳ）、アクリロニトリル−ブタジエン−スチレン共重合体（ＡＢＳ）、ポリプロピレン（ＰＰ）、セルロースプロピオネート等のセルロース誘導体、ポリアミド、ポリカーボネート−ポリエチレンテレフタレート共重合体（ＰＣ−ＰＥＴ）、ポリカーボネート−アクリロニトリル−ブタジエン−スチレン共重合体（ＰＣ−ＡＢＳ）、ポリメチルペンテン、ポリメタクリル酸メチル（ＰＭＭＡ）等のアクリル酸系ポリマー、ポリアセタール樹脂、熱可塑性エラストマー（オレフィン系、スチレン系、ポリエステル系、ポリウレタン系、ポリ塩化ビニル（ＰＶＣ）系等）等またはこれらの混合物で構成される。例えば、把持部１００、連結部１１０及びヘッド部は、一体で成形される。
【００１２】
把持部１００は、図６に示すように、略三角形の断面を有する。より具体的には、把持部１００は、細長い三角柱形状から、角の部分を曲面に変形させた構造を有する。したがって、把持部１００は、３つの略平面（１００ａ、１００ｂ及び１００ｃ）を有する。図１に示すように、正面（植毛されたブラシが見える方向）からは、２つの略平面１００ａ及び略平面１００ｃが見え、図２に示すように、背面からは、１つの略平面１００ｂが見える。
【００１３】
また、これらの各略平面１００ａ、１００ｂ及び１００ｃには、窪み１０２が設けられている。本例では、各略平面１００ａ、１００ｂ及び１００ｃに、７つの窪み１０２が等間隔で長軸方向に配列されている。
【００１４】
連結部１１０は、把持部１００よりも細く形成されており、滑らかな表面を有している。本例の連結部１１０は、把持部１００と、ヘッド部１２０との間を滑らかに連結させる形状を有する。
【００１５】
ヘッド部１２０は、植毛基台を含み、この植毛基台に複数の毛束（不図示）が植毛される。
【００１６】
このように、本実施形態の歯ブラシ１０は、略三角柱形状の把持部１００を有することにより、三本指（親指、人差し指、中指）での保持を促すことができる。加えて、把持部１００の表面に、窪み１０２を有することのより、三本指の指先を窪み１０２に当てた状態での保持を促す。これにより、鉛筆を保持するような持ち方で、歯ブラシを持つことを促すことができる。
【００１７】
（第２の実施形態）
図７は、第２の実施形態にかかる歯ブラシ２０の正面図であり、図８は、第２の実施形態にかかる歯ブラシ２０の背面図であり、図９は、第２の実施形態にかかる歯ブラシ２０の左側面図であり、図１０は、第２の実施形態にかかる歯ブラシ２０の右側面図であり、図１１は、第２の実施形態にかかる歯ブラシ２０の平面図であり、図１２は、第２の実施形態にかかる歯ブラシ２０の底面図である。
図７〜図１２を見てわかるように、本実施形態の歯ブラシ２０は、基本的な構成において、第１の実施形態の歯ブラシ１０と同じである。主な相違点は、把持部２００の各略平面２００ａ、２００ｂ及び２００ｃに設けられた窪み２０２のうち、ヘッド部２２０及び連結部２１０に最も近い窪み２０２ａ、２０２ｂ及び２０２ｃが、他の窪み２０２ａ、２０２ｂ及び２０２ｃと異なる形状を有する点である。本例のように、ヘッド部２２０及び連結部２１０に最も近い窪み２０２ａ、２０２ｂ及び２０２ｃを、他の窪みよりも長細く、大きなものとすることにより、ヘッド部２２０に最も近い窪みに指先を当てて保持するよう促すことができる。
【００１８】
（第３の実施形態）
図１３は、第３の実施形態にかかる歯ブラシ３０の六面図である。
図１３に示すように、本実施形態の歯ブラシ３０は、基本的な構成において、第１の実施形態の歯ブラシ１０と同じである。主な相違点は、ヘッド部３２０に設けられた植毛穴が１束用である点と、把持部３００と連結部３１０との間に角度を付けている点である。このようにワンタフトタイプの歯ブラシであっても、同様に本発明を適用できる。
【００１９】
（第４の実施形態）
図１４は、第４の実施形態にかかる歯ブラシ４０の正面図である。
図１４に示すように、本実施形態の歯ブラシ４０は、基本的な構成において、第１の実施形態の歯ブラシ１０と同じである。主な相違点は、保持部４００の各略平面に設けられた窪み４０２が、ヘッド部４２０に最も近い位置のみである点である。
このように、歯ブラシの保持に必要な位置に絞って、窪み４０２を設けてもよい。
【００２０】
以上説明したように、各実施形態の歯ブラシによれば、適切な持ち方を促すことができると共に、滑り止めとしての効果も期待できる。さらには、美感に優れた歯ブラシとして期待できる。
【符号の説明】
【００２１】
１０、２０、３０、４０  …歯ブラシ
１００、２００、３００、４００  …把持部
１０２、２０２、３０２、４０２  …窪み
１１０、２１０、３１０、４１０  …連結部
１２０、２２０、３２０、４２０  …ヘッド部
【図１】
2012152497.tif 000003
【図２】
2012152497.tif 000004
【図３】
2012152497.tif 000005
【図４】
2012152497.tif 000006
【図５】
2012152497.tif 000007
【図６】
2012152497.tif 000008
【図７】
2012152497.tif 000009
【図８】
2012152497.tif 000010
【図９】
2012152497.tif 000011
【図１０】
2012152497.tif 000012
【図１１】
2012152497.tif 000013
【図１２】
2012152497.tif 000014
【図１３】
2012152497.tif 000015
【図１４】
2012152497.tif 000016